(57)【要約】本発明は、医療環境における音分析に基づくメディカルフィードバックシステム（１００）に関する。患者周囲の医療環境における１以上の音源のリストを取得するために、オーディオ信号を分析して分類することができる音シーン分析部（ＳＳＡ、１０）と、音源のリストから提供される対応する音の認識レベルに関するインジケータを提供することができる音レベル分析部（ＳＬＡ、２０）とにより、高度な音分析が可能である。最後に、音分類部（ＳＣ、３０）は、回避可能性の度合いに関して、医療環境における１以上の音源のリストを分類し、医療スタッフ、患者、および／または訪問者による適切な行動のために、対応するフィードバック信号（ＦＥＥＤ、５０）を生成するよう構成されている。
2014530438.tif 000002
【特許請求の範囲】
【請求項１】
医療環境における音分析に基づくメディカルフィードバックシステムであって、
前記医療環境において、患者近くの音を示すオーディオ信号を受信するよう構成され、前記患者周囲の前記医療環境における１以上の音源のリストを取得するために、前記オーディオ信号を分析して分類することができる音シーン分析部と、
患者近くの音を示すオーディオ信号を受信するよう構成され、前記音シーン分析部から、前記１以上の音源のリストを受信するようさらに構成され、前記１以上の音源のリストから提供される対応する音の認識レベルに関するインジケータを提供することができる音レベル分析部と、
前記音レベル分析部から、前記１以上の音源のリストから提供される対応する音の認識レベルに関する前記インジケータを受信するとともに、前記音シーン分析部から、前記１以上の音源のリストを受信するよう構成され、少なくとも回避可能性の度合いに関して、医療環境における前記１以上の音源のリストを分類し、対応するフィードバック信号を生成するようさらに構成された音分類部と、
を備えた、メディカルフィードバックシステム。
【請求項２】
前記音シーン分析部は、オーディオ特性抽出・分類アルゴリズムを有する、請求項１記載のメディカルフィードバックシステム。
【請求項３】
前記オーディオ特性抽出・分類アルゴリズムは、前記オーディオ信号の物理的特性、生理的特性、および心理的特性の少なくとも１つを表すオーディオ特性を抽出することができる、請求項２記載のメディカルフィードバックシステム。
【請求項４】
前記音シーン分析部は、前記医療環境を表す予め定義された音源のリストに従って、前記オーディオ信号を少なくとも部分的に分類することができる、請求項１記載のメディカルフィードバックシステム。
【請求項５】
前記リストは、
−患者間の会話、医療スタッフ間の会話、および医療スタッフおよび患者間の会話を含む会話と、
−前記医療環境におけるモニタリング装置およびサーベイランス装置の少なくとも一方によって生成されるアラームと、
−医療機器と、
−足音と、
−ドア、窓、ベンチレータ、および調度品を含む室内の建物のパーツの移動または配置と、
−金属体と、
−マウスおよびキーボードの操作を含むコンピュータに関連するイベントと、
−音楽／ビデオ再生装置およびテレビジョン装置を含むコンシューマエンターテインメント装置と、
のうちの少なくとも１つの音イベントまたは音源を有する、請求項３記載のメディカルフィードバックシステム。
【請求項６】
前記音シーン分析部は、前記医療環境において少なくとも当初は実行される学習プロセスに基づいて、オーディオ信号を分類することができる、請求項１記載のメディカルフィードバックシステム。
【請求項７】
前記音レベル分析部は、認識された音量に関する前記インジケータを提供するための心理音響モデルを有する、請求項１記載のメディカルフィードバックシステム。
【請求項８】
前記音分類部は、前記回避可能性の度合いに基づいて、フィードバック信号が前記メディカルフィードバックシステムから出力されるべきか否かを決定するようさらに構成された、請求項１記載のメディカルフィードバックシステム。
【請求項９】
前記音分類部は、前記音源の評価された不快さに関して、前記１以上の音源のリストを分類するようさらに構成された、請求項１記載のメディカルフィードバックシステム。
【請求項１０】
前記フィードバック信号は、適切な行動変更信号を含み、前記行動変更信号は、前記分類された音源の１以上に対応する、請求項１記載のメディカルフィードバックシステム。
【請求項１１】
前記音分類部は、前記医療環境において少なくとも当初は実行される学習プロセスに基づいて、前記１以上の音源のリストを分類することができる、請求項１記載のメディカルフィードバックシステム。
【請求項１２】
前記音分類部は、前記医療環境における関連する患者モニタリングシステムから患者固有の情報を受信するよう構成され、前記音分類部は、少なくとも前記回避可能性の度合いに関して分類するために、前記患者固有の情報を使用する、請求項１記載のメディカルフィードバックシステム。
【請求項１３】
前記メディカルフィードバックシステムは、第１の複数の患者を、第２の複数のマイクロフォンを用いてモニタリングするよう構成され、前記第２の複数のマイクロフォンは、前記メディカルフィードバックシステムと通信するように構成された、請求項１記載のメディカルフィードバックシステム。
【請求項１４】
前記メディカルフィードバックシステムは、１以上のフィードバック装置と通信するように構成され、前記１以上のフィードバック装置は、医療スタッフ、訪問者、および患者のうちの少なくとも１者によって利用可能である、請求項１記載のメディカルフィードバックシステム。
【請求項１５】
医療環境における音分析に基づくメディカルフィードバックシステムを動作させる方法であって、
前記医療環境において、患者近くの音を示すオーディオ信号を受信するよう構成され、前記患者周囲の前記医療環境における１以上の音源のリストを取得するために、前記オーディオ信号を分析して分類することができる音シーン分析部を提供するステップと、
患者近くの音を示すオーディオ信号を受信するよう構成され、前記音シーン分析部から、前記１以上の音源のリストを受信するようさらに構成され、前記音源のリストから提供される対応する音の認識レベルに関するインジケータを提供することができる音レベル分析部を提供するステップと、
前記音レベル分析部から、前記１以上の音源のリストから提供される対応する音の認識レベルに関する前記インジケータを受信するとともに、前記音シーン分析部から、前記１以上の音源のリストを受信するよう構成され、少なくとも回避可能性の度合いに関して、医療環境における前記１以上の音源のリストを分類し、対応するフィードバック信号を生成するようさらに構成された音分類部を提供するステップと、
を含む、方法。
【請求項１６】
少なくとも１つのコンピュータを備えたコンピュータシステムに、医療環境における音分析に基づくメディカルフィードバックシステムを制御させることができるよう適合されたコンピュータプログラムであって、前記少なくとも１つのコンピュータに、
前記医療環境において、患者近くの音を示すオーディオ信号を受信するよう構成され、前記患者周囲の前記医療環境における１以上の音源のリストを取得するために、前記オーディオ信号を分析して分類することができる音シーン分析部を提供する手順と、
患者近くの音を示すオーディオ信号を受信するよう構成され、前記音シーン分析部から、前記１以上の音源のリストを受信するようさらに構成され、前記音源のリストから提供される対応する音の認識レベルに関するインジケータを提供することができる音レベル分析部を提供する手順と、
前記音レベル分析部から、前記１以上の音源のリストから提供される対応する音の認識レベルに関する前記インジケータを受信するとともに、前記音シーン分析部から、前記１以上の音源のリストを受信するよう構成され、少なくとも回避可能性の度合いに関して、医療環境における前記１以上の音源のリストを分類し、対応するフィードバック信号を生成するようさらに構成された音分類部を提供する手順と、
を実行させるためのコンピュータプログラム。
【発明の詳細な説明】
【技術分野】
【０００１】
本発明は、医療環境における音分析に基づくメディカルフィードバックシステムに関する。本発明はまた、医療環境における音分析に基づいてフィードバックを提供する対応する方法、および、本発明を実施するための対応するコンピュータプログラム製品にも関する。
【背景技術】
【０００２】
病院環境における雑音レベルは、特に集中治療室（ＩＣＵ）において、驚くほど高くなっている。最近の研究では、高雑音レベルによって患者に悪影響が及ぼされていることも示されている。ＩＣＵ環境における主要な雑音源は、会話および他の活動を含むスタッフの挙動に起因し得る。
【０００３】
非特許文献１では、ＭａｃＫｅｎｚｉｅらは、例えば、ＩＣＵにおいて、２４時間の期間３回にわたって、雑音源を測定して分類し、かなりの数の回避可能な高レベルの雑音イベントを特定している。それら雑音イベントとして、ごみ箱、いすのきしみ、ドアの閉め／きしみ、戸棚のドアが挙げられ、リングバインダを開くことさえも挙げられる。全ての雑音イベントの総計の３０％が、完全に回避可能なものとみなされ、同様のパーセンテージが、部分的に回避可能なものとみなされていた（アラーム；物を落とす音；電話のなる音など）。
【０００４】
建物空間において音レベルを測定し、交通信号機のような単純なフォーマットでリアルタイムのフィードバックを提供する雑音レベルフィードバックシステムが存在する。こうしたシステムは、主に学校環境向けに開発されていたが、最近ではむしろ病院において二次的に使用され始めた。
【先行技術文献】
【非特許文献】
【０００５】
【非特許文献１】“Noise  levels  and  noise  sources  in  acute  care  hospital  wards,”  Building  Serv.  Eng.  Res.  Technol.  28,  2  (2007)  pp.  117-131
【発明の概要】
【発明が解決しようとする課題】
【０００６】
しかしながら、通常は、全体的な音レベルが、そのようなシステムが動作するように設計されている唯一のパラメータである。その結果、そのフィードバックが、しばしばあまりに不明瞭であり、実際の雑音源が何であるかについての情報をほとんど提供しないことがある。
【課題を解決するための手段】
【０００７】
本発明の発明者らは、改良されたメディカルフィードバックシステムおよび方法が有用であることを理解し、その結果、本発明を考え出した。
【０００８】
医療環境における音分析に基づくフィードバックを提供するという賢明な方法を実現することは有用であろう。一般に、本発明は、好ましくは、上述した不利益を単独で、または任意の組合せに対して、１以上低減、軽減または排除しようとするものである。特に、従来技術の上述した課題または他の課題を解決する方法を提供することが本発明の目的として確認することができる。
【０００９】
したがって、医療環境における音分析に基づくメディカルフィードバックシステムを提供することにより、本発明の第１の観点においては、上述した目的および他のいくつかの目的を達成することが意図されている。本システムは、
前記医療環境において、患者近くの音を示すオーディオ信号を受信するよう構成され、前記患者周囲の前記医療環境における１以上の音源のリストを取得するために、前記オーディオ信号を分析して分類することができる音シーン分析部（ＳＳＡ：Sound  Scene  Analyzer）と、
患者近くの音を示すオーディオ信号を受信するよう構成され、前記音シーン分析部から、前記１以上の音源のリストを受信するようさらに構成され、前記１以上の音源のリストから提供される対応する音の認識レベルに関するインジケータを提供することができる音レベル分析部（ＳＬＡ：Sound-Level  Analyzer）と、
前記音レベル分析部から、前記１以上の音源のリストから提供される対応する音の認識レベルに関する前記インジケータを受信するとともに、前記音シーン分析部から、前記１以上の音源のリストを受信するよう構成され、少なくとも回避可能性の度合いに関して、医療環境における前記１以上の音源のリストを分類し、対応するフィードバック信号を生成するようさらに構成された音分類部（ＳＣ：Sound  Classifier）と、
を備える。
【００１０】
本発明は、医療環境におけるフィードバックシステムを得るために、特に、しかし、これに限らず有用である。このフィードバックシステムでは、医療スタッフおよび他の関連する人によって利用され得る対応するフィードバック信号を生成し、必要に応じて伝えるために、患者周囲の音源を識別すること、または分類することが適用される。
【００１１】
したがって、本発明は、リアルタイムの音分析および分類を実行することができる賢明なフィードバックシステムを提供する。そのような分析および分類の結果として、フィードバックシステムは、音源が回避可能であるか、または回避不可能であるかに関する情報と、音源がどれくらい全体的な音レベルに寄与するかに関する情報とを含む主要な音源のリストを提供してもよい。特に、不必要な音源または望ましくない音源、すなわちノイズが識別され、可能であれば最小限にされ、好ましくは除外され得る。追加として、または代替として、患者周囲の音響的な環境に対する音源の影響を低減するために、適切な対応手段を考慮することができる。
【００１２】
音分析の結果に応じて、フィードバックシステムは、必要とされる行動を含む適切なフィードバックを即座に提供してもよい。所与の瞬間において、最も支配的な雑音源は、例えば、不必要なアラーム音であり得る。この場合、フィードバックシステムは、アラームの音を下げるよう、またはアラームの音を消すよう、病院スタッフに勧めてもよい。全体的な音レベルの大部分に寄与するものが、病院スタッフ間の会話活動である場合、システムは、病院スタッフの声を下げることなどを考えさせるよう、病院スタッフに直接的に勧めてもよい。
【００１３】
フィードバックシステムは、本発明の本構成において、３つの別個のモダリティ（modality）、すなわち、音シーン分析部、音レベル分析部、および音分類部に区分されるが、実際的な実装においては通常、例えば適切なコンピューティング装置上で、３つのモダリティが、本発明を実施する単一のプロセッサに一体化されることが、当業者により容易に理解されることに留意されたい。
【００１４】
それでもやはり、機能的特徴は、様々な形で本発明の全体的な範囲および教示内に属し得る。
【００１５】
特定の実施形態では、前記音シーン分析部は、分析のための、オーディオ特性抽出・分類アルゴリズム（audio  feature  extractor  and  classifier  algorithm）を有してもよい。より詳細には、前記オーディオ特性抽出・分類アルゴリズムは、前記オーディオ信号の物理的特性、生理的特性、および心理的特性の少なくとも１つを表すオーディオ特性を抽出することができてもよい。そのようなレベルは、それぞれ、低レベル特性、中間レベル特性、および／または高レベル特性を有する特性として説明され得る。以下において、このアルゴリズムによって抽出されるそれら異なるレベルの特性のより詳細な説明が続く。要するに、このアルゴリズムは、オーディオ信号の区分化を実行し、オーディオ信号が、複数のレベルで分析される。
【００１６】
好ましくは、前記音シーン分析部は、前記医療環境を表す予め定義された音源のリストに従って、前記オーディオ信号を少なくとも部分的に分類することができてもよい。より詳細には、次の完全には網羅されていないリストが、次の音イベントまたは音源の１以上を有してもよい。
−患者間の会話、医療スタッフ間の会話、および医療スタッフおよび患者間の会話を含む会話、
−前記医療環境におけるモニタリング装置およびサーベイランス装置の少なくとも一方によって生成されるアラーム、
−医療機器、
−足音、
−ドア、窓、ベンチレータ、および調度品を含む室内の建物のパーツの移動または配置、
−金属体、
−マウスおよびキーボードの操作を含むコンピュータに関連するイベント、および／または、
−音楽／ビデオ再生装置およびテレビジョン装置を含むコンシューマエンターテインメント装置。
【００１７】
有用なことに、前記音シーン分析部は、前記医療環境において少なくとも当初は実行される学習プロセスに基づいて、オーディオ信号を分類することができてもよい。これは、医療環境が、固有の音環境を有している場合、特に有用である。
【００１８】
通常、前記音レベル分析部は、認識された音量に関する前記インジケータを提供するための心理音響モデル、例えば、従来のＡ重み付けまたはＢ重み付け、あるいはＺｗｉｃｋｅｒラウドネス、または音響分野の当業者に利用可能な他のヒアリングモデルを有してもよい。場合により、本発明の教示内で、ノイジネス（noisiness）、シャープネス（sharpness）、ラフネス（roughness）などに基づくより高度なモデルが適用されてもよい。
【００１９】
有用なことに、前記音分類部は、前記回避可能性の度合いに基づいて、フィードバック信号が前記システムから出力されるべきか否かを決定するようさらに構成されてもよい。したがって、例えば、音が、例えば必要不可欠なアラームに起因して、回避不可能である場合、フィードバック信号は、生成され送信される必要がない。
【００２０】
特定の実施形態では、前記音分類部は、前記音源の評価された不快さに関して、前記１以上の音源のリストを分類するようさらに構成されてもよい。より詳細には、この不快さは、患者の状態および／または医療環境に関して、評価されてもよい。
【００２１】
有用なことに、前記生成されたフィードバック信号は、適切な行動変更信号（behavioral  modification  signal）を含み、前記行動変更信号は、前記分類された音源の１以上に対応してもよい。したがって、例えば、音源が、大声の会話として分類された場合、関連する人々に対する対応するフィードバック信号は、「大声で話すのはやめてください」、「このエリアでは声を小さくしてください」などとすることができる。
【００２２】
音シーン分析部と同様、前記音分類部は、前記医療環境において少なくとも当初は実行される学習プロセスに基づいて、前記１以上の音源のリストを分類することができてもよい。
【００２３】
特定の有用な実施形態では、前記音分類部は、前記医療環境における関連する患者モニタリングシステムから患者固有の情報を受信するよう構成され、前記音分類部は、少なくとも前記回避可能性の度合いに関して分類するために、前記患者固有の情報を使用してもよい。患者モニタリングシステムは、本来別のエンティティであるが、フィードバックシステムの統合された一部分としてもよいし、反対に、フィードバックシステムが、患者モニタリングシステムの統合された一部分としてもよい。患者モニタリングシステムは、関連する患者データを取得するために、様々なセンサを有してもよいし、または、様々なセンサと通信可能に構成されてもよい。このようなセンサとしては、例えば、電気的センサ、機械的センサ、生化学的センサがある。特定の実施形態では、患者モニタリングシステムは、例えば、看護師から提供されるマニュアルの測定に基づく入力を受信してもよい。
【００２４】
好ましくは、前記フィードバックシステムは、第１の複数の患者を、第２の複数のマイクロフォンを用いてモニタリングするよう構成されてもよい。すなわち、マイクロフォンの数は、患者の数と等しくする必要はない。当業者により容易に理解されるように、前記マイクロフォンは、前記フィードバックシステムと、有線または無線により通信するように構成される。一実施形態では、例えば自宅における、例えばベッドサイドの用途の単一患者アプローチ（single  patient  approach）のように、ただ１人の患者に対しただ１つのマイクロフォンだけが存在してもよい。
【００２５】
好ましくは、前記フィードバックシステムは、１以上のフィードバック装置と通信するように構成され、前記１以上のフィードバック装置は、医療スタッフ、訪問者、および患者のうちの少なくとも１者によって利用可能であってもよい。当業者により容易に理解されるように、フィードバック装置は、フィードバックシステムと、有線または無線により通信するように構成される。フィードバック装置としては、例えば、移動電話、モニタなどがある。
【００２６】
第２の観点において、本発明は、医療環境における音分析に基づくメディカルフィードバックシステムを動作させる方法に関する。本方法は、
前記医療環境において、患者近くの音を示すオーディオ信号を受信するよう構成され、前記患者周囲の前記医療環境における１以上の音源のリストを取得するために、前記オーディオ信号を分析して分類することができる音シーン分析部（ＳＳＡ）を提供するステップと、
患者近くの音を示すオーディオ信号を受信するよう構成され、前記音シーン分析部から、前記１以上の音源のリストを受信するようさらに構成され、前記音源のリストから提供される対応する音の認識レベルに関するインジケータを提供することができる音レベル分析部（ＳＬＡ）を提供するステップと、
前記音レベル分析部から、前記１以上の音源のリストから提供される対応する音の認識レベルに関する前記インジケータを受信するとともに、前記音シーン分析部から、前記１以上の音源のリストを受信するよう構成され、少なくとも回避可能性の度合いに関して、医療環境における前記１以上の音源のリストを分類し、対応するフィードバック信号を生成するようさらに構成された音分類部（ＳＣ）を提供するステップと、
を含む。
【００２７】
第３の観点において、本発明は、第２の観点に従って、少なくとも１つのコンピュータを備えたコンピュータシステムに、医療環境における音分析に基づくメディカルフィードバックシステムを制御させることができるよう適合されたコンピュータプログラム製品であって、前記少なくとも１つのコンピュータは、当該コンピュータに接続されたデータ記憶手段を有する、コンピュータプログラム製品に関する。本発明のこの観点は、本発明が、コンピュータシステムにダウンロードまたはアップロードされた場合において当該コンピュータシステムに本発明の第１の観点のシステムの動作を実行させることができるコンピュータプログラム製品によって達成され得るという点で、特に、しかしこれに限らず有用である。このようなコンピュータプログラム製品は、任意の種類のコンピュータ読み取り可能な媒体上に提供されてもよいし、ネットワークを介して提供されてもよい。
【００２８】
一般に、本発明の範囲内で可能な任意の方法により、本発明の様々な態様を組み合わせて結合してもよい。本発明のこれらおよび他の態様、特徴、および／または利点は、以下で説明される実施形態から明らかとなり、当該実施形態を参照すると明瞭になるであろう。
【図面の簡単な説明】
【００２９】
【図１】本発明に従ったフィードバックシステム１００を示す概略図。
【図２】本発明に従ったフィードバックシステム１００のより詳細な実施形態を示す図。
【図３】様々な患者の部屋２００を有する病院環境において実施される本発明に従ったフィードバックシステム１００の実施形態を示す図。
【図４】音レベルおよび音源の概要を提供する、フィードバックシステム１００からのフィードバックの例を示す図。
【図５】本発明に従った方法またはコンピュータプログラム製品の動作の概要を示す概略的なシステムチャート。
【発明を実施するための形態】
【００３０】
図面を参照しながら、単なる例として本発明の実施形態を説明する。
【００３１】
図１は、本発明に従ったフィードバックシステム１００の概略図を示している。メディカルフィードバックシステム１００は、概略的に示されるように、１以上のマイクロフォン１がオーディオ信号ＡＵＤ２を生成しその信号をシステム１００に送信する医療環境における音分析に基づく。当業者であれば理解されるように、その送信は、有線により行われてもよいし、または、無線により行われてもよい。
【００３２】
システム１００は、音シーン分析部ＳＳＡ１０を備える。音シーン分析部ＳＳＡ１０は、医療環境において、患者（不図示）近くの音を示すオーディオ信号ＡＵＤ２を受信するよう構成されている。さらに、分析部ＳＳＡ１０は、患者周囲の医療環境における１以上の音源のリストを取得するために、オーディオ信号ＡＵＤ２を分析して分類することができる。これについては、以下でさらに説明する。
【００３３】
システム１００は、音レベル分析部ＳＬＡ２０をさらに備える。音レベル分析部ＳＬＡ２０もまた、マイクロフォン１とＳＬＡ２０を接続する矢印により概略的に示されるように、オーディオ信号ＡＵＤ２を受信するよう構成されている。さらに、音レベル分析部２０は、矢印１５により示されるように、音シーン分析部ＳＳＡ１０から、前述した１以上の音源のリストを受信するよう構成されている。しかしながら、ＳＳＡの動作および機能を実行する際にＳＳＡを支援するために、何らかの情報は、逆方向に、すなわち、音レベル分析部ＳＬＡから音シーン分析部ＳＳＡに送信されてもよいことが想定されている。ＳＳＡ１０から提供された情報から、音レベル分析部ＳＬＡ２０は、適切な計算およびモデルにより、音源のリストから提供される対応する音の認識レベルに関するインジケータを提供することができる。ＳＬＡは、例えば様々な時間窓および／または異なる周波数帯域に関する複数のインジケータを提供してもよいことに留意すべきである。
【００３４】
システム１００には、音分類部ＳＣ３０がさらに存在する。音分類部ＳＣ３０は、矢印２１に示されるように、音レベル分析部ＳＬＡ２０から、音源のリストから提供される対応する音の認識レベルに関するインジケータを受信するとともに、矢印１１により示されるように、音シーン分析部ＳＳＡ１０から、音源のリストを受信するよう構成されている。音分類部ＳＣ３０は、さらに、医療環境における１以上の音源のリストを回避可能性の度合い（degree  of  avoidability）に関して分類し、対応するフィードバック信号ＦＥＥＤ５０を生成するよう構成されている。単純な実施形態では、回避可能性の度合いは、「回避可能」または「回避不可能」であるとする音源または音イベントの分類とすることができる。しかしながら、これら２つの反対する分類の間に存在する度合いもまた、本発明の教示内で意図されている。
【００３５】
発明者らは、フィードバックシステム１００において音分析により病院環境を改善させるという目的が的を絞った手法を要することを理解していた。まず、スタッフに対するフィードバックインジケータは、意味のあるもの（こうした人々によって解釈可能なもの）でなければならず、また、管理の幅（span  of  control）の範囲内にある音イベントに関連するものでなければならない。さらに、インジケータは、患者に対する音の悪影響を適切に表すべきである（これは重要である）。
【００３６】
こうした留意事項は、単に音レベルをモニタリングするだけでは不十分であることをすでに示している。このことはまた、例えば音楽分析といった他の部分で発見された分類スキーム（classification  scheme）とは根本的に異なる分類スキームをもたらす。また、管理の幅の問題は、騒々しい音を回避可能なものと回避不可能なものとに分類するようもたらした。病院において行われた音記録のスクリーニングとともにこうした留意事項は、発明者らに、病院固有の複数のクラスと、当該クラスを識別するための手段または手段の組合せとを定義させるようもたらした。
【００３７】
病院環境において、頻繁に発生する音イベントのクラスが存在する。発明者らが発見したクラスのいくつかは、それらクラスの雑音レベル全体に対する寄与に起因するのみならず、それらクラスの時間特性およびスペクトル特性（例えば衝動性（impulsiveness）など）に起因して、患者の健康に重大な影響を及ぼし得る。したがって、雑音源のそのようなクラスを自動的に識別し、医療スタッフに考えられる影響を通知することにより、主観的な雑音不快レベル（subjective  noise  annoyance  level）を効果的に低減させることができる。これにより、患者の睡眠／休息の質を改善させることができる。このことはまた、患者の回復速度に良い影響を及ぼし得る。特に、発明者らは、次の完全には網羅されていないクラスのリストを特定した。フィードバックシステムは、これらのクラスを識別するようトレーニングされる（trained）。
【００３８】
会話（患者を伴う会話および他の会話）
発明者ら独自による病院の雑音の記録および分析から、発明者らは、平均的な雑音レベルの観点から言うと、会話活動が最も支配的な雑音源であると特定した。したがって、会話音と非会話音を区別することが重要である。入力信号内の会話音を検出するために、ピッチレンジ、メル周波数ケプストラム係数（ＭＦＣＣ：Mel-Frequency  Cepstral  Coefficient）、および包絡線変動などのいくつかの特性を使用することができる。回避可能な会話と回避不可能な会話を区別するのは難しい。というのは、会話の文脈もまた考慮されるべきであるからである。したがって、その代わりに、発明者らの手法は、（患者の観点から、）明らかに回避不可能な患者を伴う会話活動を識別することである。（例えば、病院スタッフ間の）他の会話活動は、少なくとも部分的に回避可能と考えることができる。患者を伴う会話を区別するために、様々な方法が使用され得る。そのうちの一方法は、複数のマイクロフォンを使用して、非常に制限された領域（患者のベッドの前部）からのみオーディオ信号を取得する専用ビームフォーミング技術（dedicated  beam  forming  technique）とすることができる。他の例の１つは、話者識別技術を使用することである。オーディオ入力が会話として分類され、かつ、ビームフォーマ（または話者識別部）から提供される入力が患者からのものであることを示す場合、システムは、患者自身が話していると推定する。一旦患者の会話が検出されると、検出された時間近辺（例えば、５〜１０分間）の全ての会話活動は、患者を伴う会話であるとみなされる。したがって、このプロセスの終了時点では、会話が、患者を伴う会話活動と、他の会話活動ととして、さらに分類される。
【００３９】
アラーム
アラームもまた、病院における支配的な雑音源の１つである。アラーム音を生成することにより、モニタリング装置は、医療スタッフに警告を送る。しかしながら、全てのアラーム音が回避不可能なものではない。というのは、フィールド研究から（さらに文献からも）、看護スタッフにより即座に行動をとることなく、緊急性の低いアラーム（例えば、注射の終了の通知など）はただ無視される、ということが得られたからである。まず、分類部が、特に、入力信号の音調（tonality）、調和構造（harmonic  structure）、および反復性を分析して、全てのアラーム音を識別する。次いで、システムが、スタッフの介入がない間にアラーム音がどれくらい続くかを測定する。アラームが予め定められたしきい値よりも長く続く場合、責任のある医療スタッフに通知するようシステムがアクティブ化される。システムはまた、患者モニタリングシステムからアラーム音の履歴を取得し、（医療的な意味において）アラーム音がいかに緊急に反応されたかを学習することもできる。その学習に基づいて、各種類のアラーム音に関するしきい値時間が調整され得る。しかしながら、フィードバックシステムは、医療状況の重要度を示すことなく、アラーム音の不快レベルについてのみ警告を送ることは明白であるべきである（例えば、フィードバックシステムは、医療スタッフに必要不可欠なアラームを無音にさせるようには決して動作しない）。
【００４０】
医療機器の雑音（例えば、機械式ベンチレータ）
例えば集中治療室にいる患者などの急性期の患者に対しては、患者の生命を維持するために、様々な医療機器が使用される。しかしながら、それらの機器は、部屋における位置に起因して、患者の耳の付近で絶えず雑音を生成し得る。この雑音が、患者の睡眠／休息の質に悪影響を及ぼす。そのような機器からの雑音は、継続的かつ反復的であるため、フィードバックシステムは、リズムおよび予測可能性に基づいて、この雑音のクラスを分類する。
【００４１】
足音
衛生状態を簡単に維持するために、病院においては、ビニールの床が一般的である。ビニールの床は、非常に独特の足音の雑音を生成する。平均的な雑音レベルはそれほど高くないが、足音の雑音が、雑音の不快感全体に大きく寄与することが確認された。フィードバックシステムは、特定の病院環境において足音を学習し識別するために、リズムおよびスペクトル内容（例えばＭＦＣＣ）を使用する。
【００４２】
建物のパーツ（例えば、ドア／引き出し／戸棚の開閉；物の落下；ぶつかり（thump））
足音と同様、この音イベントのクラスは、平均的な雑音レベルにはそれほど寄与しないが、瞬間的な高ピーク雑音レベルを引き起こす衝動性に起因して、患者の睡眠／休息の質に重大な影響を及ぼす。フィードバックシステムは、オンセットのスティープネスおよびパーカッシブネス（onset  steepness  and  percussiveness）の測定に基づいて、これらのイベントを分類する。
【００４３】
金属体（例えば、台車、ベッドのフレームなど）からの雑音
上記２つのクラスと同様、金属体の雑音の物理的レベルはそれほど高くないが、その独特の音色に起因して、結果として生じる不快感は、大きなものとなり得る。この音イベントのクラスを識別するために、フィードバックシステムは、互いに調波ではないシャープなスペクトルピークを検出する。
【００４４】
コンピュータに関連するイベント（例えばマウスのクリック）
発明者ら独自の音の記録から、（看護スタッフが患者のデータにアクセスするために、マウス付きのＬＣＤモニタが通常ベッドサイドに置かれているように、患者の耳の近傍に起因して、）マウスのクリック（ドラッグ）の雑音が、非常に騒々しいものとして特定されたが、この雑音は、潜在的に重大な雑音源としてはほとんど認識されなかった。分類のために、マウスのクリックの雑音の非常に独特な時間スペクトル特性が使用される。また、キーボードを叩く雑音を識別するために開発された技術を部分的に採用する。
【００４５】
ＴＶ／ラジオからの音楽
ＴＶまたはラジオからの音は、望まれていない場合において（例えば、近隣の部屋から到来する場合において）、非常に騒々しいものになり得る。ＴＶ／ラジオコンテンツにおける会話は、すでに「他の会話活動」として分類することができるので、その代わりに、フィードバックシステムは、会話の検出のために使用される同様の特性に基づいて（例えば、音楽の包絡線変動は、会話の包絡線変動よりも小さい）、音楽コンテンツを非音楽コンテンツと区別するよう試みる。
【００４６】
上述のクラスに関連して説明した特性のほとんどは、通常、例えば、会話分析、音楽情報検索、音楽推薦システム、および他の研究領域（キーボードストローク）において使用される。しかしながら、病院環境に合わせた、（重大な影響、スタッフの解釈可能性、管理の幅に基づく、）特性の組合せ、適応、および、特に各々のクラスに合わせた組合せの最適化に進歩性がある。
【００４７】
次の表は、フィードバックシステム１００によって使用され得る音イベントのクラスと、関連する支配的なクラスの特性とを要約している。
【００４８】
【表１】
2014530438.tif 000003
【００４９】
音源のリストから提供される識別された音イベントは、回避可能な／回避不可能な音
源、雑音と考えられるものにさらに分類されることに留意すべきである。音シーン分析
部による分類が十分に正確である場合、いくつかの音イベントは、この段階で容易に回避可能なもの、または回避不可能なものとして分類することができる。例えば、物の落下音は、この分析部によって識別することができ、回避可能なものとして直接的に分類することができる。一方、賢明な分類のために、追加の情報が必要なものもある。必要不可欠なアラーム音と不必要なアラーム音を区別するために、例えば、音分類部ＳＣが、患者モニタリングシステムＰＭＳ（Patient  Monitoring  System）および／または病院中央モニタリングデータベース２５０（図２参照）から提供される情報に基づいて、トレーニングされなければならない場合がある。そのような情報として、患者の状態に応じて、どのアラーム音に対して病院スタッフが迅速に反応したかが挙げられる。回避可能な会話活動と回避不可能な会話活動を区別するために（例えば、患者を伴う会話は回避不可能である）、話者識別システムを使用することもできる。さらに、患者の状況に応じて、より正確に雑音の影響を評価するために、（例えば、アクティグラフィ（actigraphy）、電気診断（ＥＥＧ、ＥＣＧ、ＥＯＧ、ＥＭＧなど）、カメラに基づく移動検出などに基づく）睡眠／休息モニタリング装置から提供されるデータを使用することもできる。
【００５０】
図２は、本発明に従ったフィードバックシステム１００のより詳細な実施形態を示している。図２では、システム１００が、患者の部屋２００において、マイクロフォン１とともに示されている。
【００５１】
上述したように、音の取得のために、マイクロフォン１または同様の装置が各患者の部屋２００内に配置されている。各患者の部屋２００には、主としてマイクロフォン１が含まれるが、マイクロフォン増幅器ＭＩＣ  ＡＭＰが周辺に配置されてもよい。
【００５２】
音分析に関して、高い演算能力を有するコンピュータがフィードバックシステム１００をホストしてもよい。このフィードバックシステム１００は、１）複数の患者の部屋２００（明瞭にするため１つの部屋しか示されていない）からオーディオ信号ＡＵＤを受信し、２）存在し得る雑音の内容およびレベルを分析し、３）雑音が回避可能であるか、または回避不可能であるかを判定し、４）誰にどうやってフィードバックを送信すべきかを決定し、５）適切なフィードバック装置１５０に出力を送信する。
【００５３】
さらに、フィードバックシステムは、患者の部屋２００において概略的に示されている患者モニタリングシステムＰＭＳ２１０と一体化されてもよい。ＰＭＳは、当業者にとって利用可能な適切なメディカルモニタリング装置を用いて、患者の肉体的状態および／または活動と、任意的に精神的状態も、モニタリングすることができる。ＰＭＳは、矢印２５により示されるように、ＳＣと通信することができる。すなわち、音分類部は、医療環境において、患者モニタリングシステムＰＭＳから、患者固有の情報を受信するよう構成されている。そして、音分類部ＳＣは、少なくとも、回避可能性の度合い、生成するフィードバック信号の種類、および／または、その信号を誰に送信すべきかに関して分類するために、患者固有の情報を使用することができる。
【００５４】
本発明はまた、矢印２２および２４に概略的に示されるように、モニタリングされる病院環境または医療環境の中央モニタリング・サーベイランス装置（central  monitoring  and  surveillance  unit）２５０と一体化されてもよい。場合により、装置２５０は、矢印２３に示されるように、フィードバック信号ＦＥＥＤ’をフィードバック装置１５０に提供してもよい。フィードバック信号ＦＥＥＤまたはＦＥＥＤ’に関して、指定された人々（主として病院スタッフであるが、必要であれば患者および保護者も）に対して雑音の内容およびレベルと推奨される行動とを通知する様々な装置１５０が示されている。図２においては、ナースステーションおよび／またはルームエントランスにおけるモニタ、触覚的かつ／または視覚的応答を使用者に対して提供するブレスレット、およびハンドヘルド装置（移動電話など）などの様々なフィードバック装置が示されている。
【００５５】
フィードバックシステム１００は、独立したエンティティとして示されているが、本発明は、モニタリングされる病院環境または医療環境の中央モニタリング・サーベイランス装置と容易に一体化することができる、または、当該中央モニタリング・サーベイランス装置の一部とすることができることが意図されている。
【００５６】
あるいは、本発明は、患者モニタリングシステムＰＭＳ２１０と容易に一体化することができる、または、当該患者モニタリングシステムＰＭＳ２１０の一部とすることができる。あるいは、本発明は、本発明の教示を実施するための十分な演算リソースおよび通信能力を有する移動装置／電話などのフィードバック装置１５０と容易に一体化することができる、または、当該フィードバック装置１５０の一部とすることができることが意図されている。
【００５７】
図３は、医療部門のレイアウトにおいて示された様々な患者の部屋２００（部屋１から部屋８の番号が付けられている）を有する病院環境において実施される本発明に従ったフィードバックシステム１００の実施形態を示している。各部屋２００は、図示されるように、マイクロフォン１を有している。システム１００からフィードバック信号を受信する３つの異なるフィードバック装置１５０もまた、矢印により示されるように、図示されている。例えば、フィードバック装置１５０ａは、部屋１におけるディスプレイ装置とすることができ、フィードバック装置１５０ｂは、医療部門における中央ディスプレイ装置とすることができ、フィードバック装置１５０ｃは、医療スタッフメンバ（不図示）によって運ばれるハンドヘルド装置とすることができる。
【００５８】
図４は、「回避可能なもの」または「回避不可能なもの」の分類とともに、例えば雑音レベル４０といった音レベルおよび例えば雑音源４５といった音源の概要を提供する、フィードバックシステム１００からのフィードバックの例を示している。図４のレイアウトは、図３と同一である。図４に示されるフィードバックは、例えば、図３におけるディスプレイ１５０ｂ上に提供することができる。
【００５９】
図５は、本発明に従った方法または対応するコンピュータプログラム製品の動作の概要を示す概略的なシステムチャートである。本方法またはプログラムは、
医療環境において、患者近くの音を示すオーディオ信号ＡＵＤを受信するよう構成され、患者周囲の医療環境における１以上の音源のリストを取得するために、オーディオ信号を分析して分類することができる音シーン分析部ＳＳＡ１０を提供するステップＳ１と、
患者近くの音を示すオーディオ信号ＡＵＤを受信するよう構成され、音シーン分析部から、１以上の音源のリストを受信するようさらに構成され、音源のリストから提供される対応する音の認識レベルに関するインジケータを提供することができる音レベル分析部ＳＬＡ２０を提供するステップと、
音レベル分析部から、音源のリストから提供される対応する音の認識レベルに関するインジケータを受信するとともに、音シーン分析部から、音源のリストを受信するよう構成され、少なくとも回避可能性の度合いに関して、医療環境における１以上の音源のリストを分類し、対応するフィードバック信号ＦＥＥＤ５０を生成するようさらに構成された音分類部ＳＣ３０を提供するステップＳ３と、
を含む。
【００６０】
要するに、本発明は、医療環境における音分析に基づくメディカルフィードバックシステム１００に関する。患者周囲の医療環境における１以上の音源のリストを取得するために、オーディオ信号を分析して分類することができる音シーン分析部ＳＳＡ１０と、音源のリストから提供される対応する音の認識レベルに関するインジケータを提供することができる音レベル分析部ＳＬＡ２０とにより、高度な音分析が可能である。最後に、音分類部ＳＣ３０は、回避可能性の度合いに関して、医療環境における１以上の音源のリストを分類し、医療スタッフ、患者、および／または訪問者による適切な行動のために、対応するフィードバック信号ＦＥＥＤ５０を生成するよう構成されている。
【００６１】
本発明は、ハードウェア、ソフトウェア、ファームウェア、または、それらの任意の組合せにより実施することができる。本発明または本発明のいくつかの特徴はまた、１以上のデータプロセッサおよび／またはデジタル信号プロセッサ上で動作するソフトウェアとして実施することもできる。
【００６２】
本発明の実施形態の個別の要素は、例えば、単一のユニット内で、複数のユニット内で、または別々の機能的ユニットとして、任意の適切な方法で、物理的、機能的、かつ論理的に実施されてよい。本発明は、単一のユニット内で実施されてもよいし、異なるユニットおよびプロセッサ間で物理的にも機能的にも分散されてもよい。
【００６３】
単一のプロセッサまたは他のユニットが、請求項に記載された複数の項目の機能を満たしてもよい。所定の手段が相互に異なる従属請求項において記載されているという単なる事実は、それらの手段の組み合わせが有利に使用され得ないことを示すわけではない。コンピュータプログラムは、光記憶媒体、または、他のハードウェアとともにまたは他のハードウェアの一部として提供されるソリッドステート媒体などの適切な媒体上に記憶／分散されてもよいし、インターネット、または、他の有線通信システムもしくは無線通信システムを介してなど、他の形態で分散されてもよい。
【００６４】
本発明は、図面および上記の記載において詳細に例示され説明されたが、そのような例示および説明は、限定的なものとしてではなく、例示的なものとして考えられるべきである。本発明は、開示された実施形態に限定されない。開示された実施形態に対する他の変形例は、図面、本開示、および添付の請求項の検討から、請求される発明を実施する際に当業者によって理解され達成され得る。請求項において、「備える（comprising）」という語は、他の要素またはステップを除外せず、不定冠詞「ａ」または「ａｎ」は、複数個を除外しない。請求項におけるいかなる参照符号も、適用範囲を限定するよう解釈されるべきではない。
【図１】
2014530438.tif 000004
【図２】
2014530438.tif 000005
【図３】
2014530438.tif 000006
【図４】
2014530438.tif 000007
【図５】
2014530438.tif 000008
【国際調査報告】
2014530438.tif 000009
2014530438.tif 000010
2014530438.tif 000011